(57)【特許請求の範囲】
【請求項１】
特に人工歯の選択用の補助手段、ならびに修復歯科学用の連絡手段として使用され、差し込み基礎部材に挿入可能であるとともに先端にサンプル要素を備えた複数の差し込み要素を備えるカラーキーであり、サンプル要素（１４）は人工歯および／または修復材料あるいは媒体と同一の原料ならびに方法によって製造され、差し込み要素（３２）はサンプル要素（１４）に接続され、その一表面（５２）は自然歯のように模様化され特に湾曲しており、他方の特に裏側表面（５４）は平らかつ滑らかに形成されるカラーキーにおいて、
各差し込み基礎部材（１２，１６）は差し込み接続部材（３８）を収容するための窪み部分またはブシュ（３６）を備え、これによって差し込み基礎部材（１２，１６）が互いに結合可能であることを特徴とするカラーキー。
【請求項２】
サンプル歯差し込み基礎部材（１２）はエナメル質サンプル差し込み基礎部材と結合されることを特徴とする請求項１記載のカラーキー。
【請求項３】
差し込み要素（３０，３２）は関節部材（４４）を備え、これを介してサンプル保持部材（４６）がシャフト（４２）に対して旋回可能に取り付けられることを特徴とする請求項１または２記載のカラーキー。
【請求項４】
関節部材（４４）は差し込み要素（３０，３２）のサンプル保持部材（４６）とシャフト（４２）との間において直線位置から両側へそれぞれ約９０°の旋回が可能であり、特に直線位置は固定状態に相当することを特徴とする請求項１ないし３のいずれかに記載のカラーキー。
【請求項５】
サンプル要素（１４）はサンプル保持部材（４６）内に挿入可能であることを特徴とする請求項１ないし４のいずれかに記載のカラーキー。
【請求項６】
差し込み基礎部材（１２，１６）は接続部分（３４）が先細に形成されることを特徴とする請求項１ないし５のいずれかに記載のカラーキー。
【請求項７】
各差し込み基礎部材（１２，１６）の上面（２４）および下面（２６）に複数のブシュ（２８）が形成されることを特徴とする請求項１ないし６のいずれかに記載のカラーキー。
【請求項８】
各差し込み基礎部材（１２，１６）の上面（２４）および下面（２６）は長い形状であり特に緩やかに湾曲して形成されることを特徴とする請求項１ないし７のいずれかに記載のカラーキー。
【請求項９】
各差し込み基礎部材（１２，１６）の前面に近接した端部は浅いグリップ窪みを備えることを特徴とする請求項１ないし８のいずれかに記載のカラーキー。
【請求項１０】
エナメル質サンプル（１８）は実質的に棒形状、特に緩やかな先細に形成されることを特徴とする請求項１ないし９のいずれかに記載のカラーキー。
【請求項１１】
サンプル要素（１４）はセラミック歯科材料からなり特にプラスチック製のサンプル保持部材（４６）上に圧力固定式、形状固定式および／または接着剤結合によって固定されることを特徴とする請求項１ないし１０のいずれかに記載のカラーキー。
【発明の詳細な説明】
【０００１】
【産業上の利用分野】
この発明は、特に人工歯の選択用の補助手段、ならびに修復歯科学用の連絡手段として使用される請求項１前段記載のカラーキーに関する。
【０００２】
【従来の技術】
この種のカラーキーは、例えばドイツ特許第ＰＳ１９５０９８３０号公報により知られている。このカラーキーは、色の選択および患者固有の独自性の観点において、また多様な歯科診療室および歯科技巧作業室の観点において柔軟性を有する場合に有効となる。
【０００３】
自然に近い義歯を求める要望が増えているため、現存する自然の歯と直接比較することによって美観的に改善された復元結果をもたらしより高い再生確実性を実現するカラーキーが必要とされている。
【０００４】
この観点から多数のカラーキーが知られている。この種のカラーキーの一例として、ドイツ特許第ＯＳ３４２９９２７号公報に記載されているものが挙げられる。このカラーキーにおいて、支持部材が取り外し可能に取り付けられ、支持部材と歯科ペースト材との間に不透明層が配置され、従って支持部材の色と構造は見えないものである。
【０００５】
さらに、支持部材の差し込み基礎部を複数設けるとともにこれらの差し込み基礎部を互いに取り外し可能に接続することが提案されている。この解決方式において、両方の差し込み基礎部を互いに異なった方向で取り付けることができる。
【０００６】
各差し込み要素は差し込み基礎部の既知のカラーキーから取り出され、従って、原則として、差し込み要素を自然の歯の近くのサンプル要素と共に保持することによって自然の歯と義歯との間の比較が可能となる。通常、空間的な制約から差し込み要素は患者の唇付近で自然の歯に対していくらか斜めに保持する必要があり、従って多用な光照射角度に応じて光学的に違った状態が示され、その結果カラーキーを使用して決定しようとする好みの色が実際の結果とはしばしば異なったものとなる。
【０００７】
光学的に整合させるためには、北からの光の照射が最適であることが知られているが、多くの歯科診療所または歯科技巧所においてその他の作業に必要な照明を確保するため特に人工の光が存在するため、最適な照明環境を実現することは不可能あるいは非常に困難である。
【０００８】
同じ分光光度曲線においても、一方で模様化および構造化されたサンプル要素を他方で滑らかかつ平らな表面を比較する場合、同一のサンプル要素が異なって反応する。
【０００９】
義歯において広く使われている塗装技術において通常色彩トーンが採用されており、これは主となる材料から大きく異なったものとなる。この色彩トーンも、既知のカラーキーにおいては達成不可能であるか、または不充分なものとなる。このことは、歯の首部および透明材料に使用される色調についても該当する。
【００１０】
【発明が解決しようとする課題】
従って、本発明の目的は、人工歯をその色調を含めて選択する際に多様な照明環境に左右されずに改善された判定を可能にすることができる請求項１前段記載のカラーキーを提供することである。
【００１１】
【課題を解決するための手段】
前記の課題は、本発明に従って請求項１によって解決される。下位請求項には好適な追加構成が示されている。
【００１２】
本発明によれば、サンプル要素を製造する際に義歯と同じ原料を使用することが特に好適である。双方において、同一の分光光度特性を有する同一の着色剤が使用され、また製造工程も、粉末化処理、燃焼、さらに例えば使用されるセラミック粉末のバッチに関しても、双方の場合において同一のものとなる。従って、サンプル要素が光学的に人工歯と同一のものとなるという前提条件が成立し、従って色の相違は生じない。
【００１３】
本発明によれば、サンプル要素の表面が自然歯のように模様化されていることが特に好適であり、他の表面は平らかつ滑らかである。模様化および湾曲化された表面は、同一に作られた人口歯が後に提供する印象をその位置で確認することを可能にする。他方、裏面に設けられた平滑な表面は改善された純粋な色判定を可能にし、これは反射を防止するような状態で保持し易いからである。平らなまたは模様化されていない面は用意された歯根の色判定を行うために特に重要であり、従来の色サンプルと比べて本発明の相違点を提供するものである。
【００１４】
既知のカラーキーにおいて、従来は用意する色根のための追加的な第２サンプルが使用されており、これはコスト面において極めて不利なものであった。
【００１５】
本発明によれば、人工歯の色選択に際して、一方で実質的な色選択すなわち用意された歯根を平らかつ滑らかな表面を使用して色選択し、他方で歯の外観は要素を単純に回転することによって判断することをともに考慮する。
【００１６】
この点に関して、サンプル要素またはサンプル板を同一の歯科材料から形成することが特に好適であり、ここで前面および後面は特に明るい照明下においても異なった作用をもたらすため、患者に対して歯を復元する際に色彩トーンとこの色彩トーンの光学的作用との間の相違を明確に示すことができる。
【００１７】
特に好適な構成形態において、サンプル要素を差し込み要素に可動的に取り付けることが特に好適である。このため、差し込み要素の上部はサンプル支持部材として形成することが好適であり、この上にサンプル要素またはサンプル板が取り付けられ、一方で下部はシャフトとして形成されている。上下の部分は関節部材を介して互いに結合されており、約９０°旋回が可能となっている。
【００１８】
この構成により、サンプル面またはサンプル要素を比較する自然歯と同じ角度で患者の口内（上顎または下顎）に保持することができ、ここでこの関節部材は前歯と唇との間に延在することができる。このことにより、改善された判定可能性をもたらすとともに、多様な照明環境による影響を低減することができる。
【００１９】
別の好適な構成形態によれば、サンプル歯の差し込み基礎部は象牙質サンプル用の別の差し込み基礎部と取り外し可能に結合されている。このことは、エナメル質および特殊効果材料に対して特別なサンプル要素を作成することを可能とし、これは歯の形状を有するものではなく、くさび形に形成されている。ここにおいても、サンプルと原材との間で同一の着色剤を使用するとともに同一の製造工程を実施することが好適である。
【００２０】
特殊効果材料またはエナメル材料のための差し込み基礎部材とサンプル歯のための差し込み基礎部材が取り外し可能であることにより分離して取り扱うことが可能となり、従って歯科医の要望に応じて追加的な差し込み基礎部材を挿入することができ、その結果相違化の要求の大きな患者に対して追加的な識別の可能性を提供し、他方識別要求の小さな患者に対してはサンプル歯差し込み基礎部材とその上下側に差し込まれた例えば６ないし１２本のサンプル歯によって対応することができる。
【００２１】
加えて、保管を簡便化することができる。保管のためにはまず両方の差し込み基礎部材を互いに差し込み合わせ、この際両方の差し込み基礎部材が鋭い突起部を備えなくても自動的に取り扱うことができるように差し込み要素を形成することが好適である。
【００２２】
差し込み基礎部材の二重構造は、差し込み基礎部材をブシュ側、すなわち差し込み基礎部材が互いに差し込み結合される側において先細に形成すれば特に操作性が良好となる。差し込み要素をその収容部に挿入するために必要とされる操作性は、各差し込み基礎部材の端部に形成されたグリップ窪みによって改善され、この際このグリップ窪みがさらに両方の差し込み基礎部材の接続および取り外しを可能にする。加えて、二重構造によって、使用者によって異なる要望に応じて個別に調節することが可能になる。例えば、この方式によって異なったメーカーによる色をカラーサンプルとして組み合わせることが可能となり、従って選択基盤が全体的に改善される。
【００２３】
好適には緩やかに湾曲した差し込み基礎部材の上下面により、手のひらの曲面に整合することからより改善された操作性が提供される。
【００２４】
象牙質またはエナメル質用の差し込み基礎部材も旋回可能とすることが好適であり、このため適宜な関節部材を設け、従って、自然歯の極めて近くに配置することが可能となり、これによって判定を容易にすることができる。
【００２５】
意外なことに、本発明に係るカラーキーは、模様化した表面および平らな表面を同一の材料を使用して形成することにより、少なくとも部分的に異性体効果、すなわち同じ色反応を示すがスペクトル的に異なった特性を有する色を補償することが可能となる。
【００２６】
本発明のその他の詳細、利点および特徴は、添付図面を参照しながら以下に記す実施例の説明によって明らかにされる。
【００２７】
【実施例】
図１に示されたカラーキー１０は、カラーサンプル歯１４のための差し込み基礎部材１２と象牙質サンプル１８のための差し込み基礎部材１６とを備えている。両方の差し込み基本部材１２および１６は、実質的に互いに正対称形に形成され、それぞれ適宜な前および後面を有し、ここで図１には前面２０および２２のみが示されている。
【００２８】
各差し込み基礎部材１２および１６は、上面２４および下面２６からなる。各面２４および２６は、差し込み孔として形成された差し込み要素ブシュ２８を備えている。図示された実施例において、それぞれ６個の差し込み要素のための収容部またはブシュ２８が並んで設けられている。
【００２９】
面２４および２６は、差し込み要素ブシュ２８の領域において緩やかな球面状に湾曲して形成されている。ブシュは表面に対して垂直に延在することが好適であるため、これに応じて差し込み要素３０，３２が互いに離間しており、従ってこれらは容易につかむことができる。
【００３０】
変更された構成形態によれば、差し込み要素３０，３２は互いに平行に配設され、ここでブシュ２８の間隔は必要に応じて広範囲に調整し得ることが理解される。
【００３１】
差し込み基礎部材１２および１６は、ブシュ２８の領域に近接して接続領域３４を備えており、これは先細に形成されている。接続領域３４はその前面に大型ブシュ３６を備えており、これは前面部のうちの大きな部分を占有している。対称形に形成された差し込み基礎部材１６の前面にも同様なブシュが設けられている。従って、両方の基礎部材を組み合わせて構成された本発明に係るカラーキー１０は、ダンベル形状で疲れずに把持することができ、すなわち人間工学上極めて良好な形状を有する。
【００３２】
ブシュ３６は差し込み接続部材３８の形状に対応しており、これはそれぞれ差し込み基礎部材１２と差し込み基礎部材１６のブシュ３６内にその半分ずつが完全に収容される。この収容は遊びが無いように達成され、従って差し込み接続部材３８を介して接続された差し込み基礎部材１２および１６を互いに分離するためには一定の引っ張り圧力を超過する必要がある。
【００３３】
差し込み基礎部材１２および１６はさらにその前面２０および２２を備え、また図示されていないがこれと対称の後面近傍にグリップ窪み４０を備えており、これは両部材の接続解除および全体的な操作性を容易にする。差し込み基礎部材１２および１６の全ての縁部および角部は丸く仕上げられて、これによって安全な操作が可能となり、この際さらに平滑な表面が好適であり、これによって汚れにくいものとなる。丸く仕上げられ好適な形状のため、表面が平滑であるにもかかわらず安定した操作性が確立される。
【００３４】
差し込み要素ブシュ２８は、図１において簡略化のため丸く示されている。しかしながら、例えば図２の受容ソケットの形状に応じて、円形ではなく実質的に四角形にすれば好適である。
【００３５】
図２においては、差し込み要素３０が、前面と側面の２つの視点から示されている。各差し込み要素は、差し込み基礎部材１２を任意の位置に設置した際にブシュ２８内に挿入して固定することができるシャフト４２を備えている。
【００３６】
各差し込み要素３０は、関節部材４４を備えることが好適であり、これはシャフト４２をサンプル保持部材４６と結合する。このサンプル保持部材４６はサンプル歯１４を収容し、図示された実施例においてサンプル歯１４はその首部がサンプル保持部材４６の収容部４８内に遊びなく保持されている。
【００３７】
関節部材４４は、サンプル保持部材４６がサンプル歯１４と共に９０°旋回し得るように形成されている。サンプル歯差し込み要素３０を使用するために、関節部材４４を適宜に側方に折れ曲がった状態に旋回させることができ、従ってシャフト４２はサンプル歯１４の側方の持ち手として作用し、サンプル歯１４の下側の実効高さは例えば３分の１に大きく削減されている。
【００３８】
好適には、関節部材４４が直線的な状態である際にサンプル保持部材４６がシャフト４２に緩やかに嵌合し、これによってサンプル歯１４が差し込み基礎部材１２内に挿入された状態において不用意に側方に移動することが防止される。
【００３９】
図２の側面図により、サンプル歯１４の前面５２は自然歯により近くするために模様化、特に輪郭形成されており、他方裏面５４は平らで滑らかな表面を有する。差し込み要素３０を選択的に回転させることにより、サンプル歯１４に対して同一の歯科材料を使用するにもかかわらず異なった着色状況の判定が実施される。
【００４０】
図３には、同様な差し込み要素３２が示されているが、これはエナメル質に対するものであり、この差し込み要素も側方への回転を可能にする関節部材４４を備えている。
【００４１】
差し込み要素３２はサンプル歯１４の代わりにエナメル質サンプル１８を備えており、サンプル保持部材４６の構造は図２に示されたサンプル歯保持部材の構造に相当するものとなる。エナメル質サンプル１８は、実質的に棒形状であるとともに先細に形成されている。これはエナメル質、効果質および特殊質の再生に使用され、また歯の首部の色彩トーンの再生にも使用される。この種の色彩トーンは特別な目的で使用されるものであるため、ここでは意図的に歯の形状は選択せず、サンプル歯の違いは明確に示されている。
【図面の簡単な説明】
【図１】本発明に係るカラーキーの概略構成図である。
【図２】請求項１のカラーキーの本発明に係る第一の差し込み要素の部分的に切断された側面ならびに正面図である。
【図３】請求項１のカラーキーの本発明に係る第一の差し込み要素の部分的に切断された側面ならびに正面図である。
【符号の説明】
１０  カラーキー
１２，１６  差し込み基礎部材
１４  カラーサンプル歯
１８  象牙質サンプル
２０，２２  前面
２４  上面
２６  下面
２８  差し込み要素ブシュ
３０，３２  差し込み要素
３４  接続部分
３６  ブシュ
３８  差し込み接続部材
４０  グリップ窪み
４２  シャフト
４４  関節部材
４６  サンプル保持部材
４８  収容部
５２  前面
５４  裏面
【図１】
0003759568.tif 000002
【図２】
0003759568.tif 000003
【図３】
0003759568.tif 000004